(57)【要約】【課題】冷却後、側壁板を倒して、開口部を広げることができ、また、そのままお皿のようにして使用することのできる容器を提供する。【解決手段】底面板１と、底面板の周端に連結し上方に立ち上がる複数の側壁板２とが設けられ、隣接する側壁板が折込片３により連結されていて、折込片は、底面板から上方に向かう折罫ａにより２つに折られ、一方の側壁板に冷却することによって剥離するように接着していて、２つに折られた折込片が、更に底面板から上方に向かう直線ｂで２つに分割され、前記折込片の分割した先端側の部分ｃが冷却により剥離しないように接着している。【選択図】図２
2016003039.tif 000002
【特許請求の範囲】
【請求項１】
底面板と該底面板の周端に連結し上方に立ち上がる複数の側壁板とからなり、冷却することによって、前記側壁板が外方に倒れることが可能となることを特徴とする容器。
【請求項２】
隣接する前記側壁板が折込片により、連結していることを特徴とする請求項１に記載の容器。
【請求項３】
前記折込片は、前記底面板から上方に向かう折罫により２つに折られ、一方の前記側壁板に冷却することによって剥離するように接着していることを特徴とする請求項２に記載の容器。
【請求項４】
２つに折られた前記折込片が、更に前記底面板から上方に向かう直線で２つに分割され、前記折込片の分割した先端側が冷却により剥離しないように接着していることを特徴とする請求項３に記載の容器。
【発明の詳細な説明】
【技術分野】
【０００１】
本発明は、容器に関するものである。
【背景技術】
【０００２】
消費者が購入後、自分で加工や調理をして食するような、作る楽しさをも備えた菓子や食品が販売されている。そのようなものの中に、お菓子の元になる粉末を、水で溶かして、冷却すると固化あるいはゲル化するお菓子がある。
【０００３】
このような場合、添付されている容器や、包装容器自体に粉末を溶かしたものを入れて作るようになる。この容器は水で溶かしたものを入れても、漏れないような構造になっている必要がある。
【０００４】
このような容器としては、底面板と、底面板に連結した側壁板と、隣接する側壁板の間に折込片が連結して設けられていて、側壁板を起こして、折込片を２つに折って、側壁板に接着させたものがある（特許文献１）。
【０００５】
この容器で、前述のお菓子を作ると、側壁板に作ったお菓子が密着していて、取り出しにくく、食べにくいという問題があった。
【０００６】
公知文献を以下に示す。
【先行技術文献】
【特許文献】
【０００７】
【特許文献１】特公昭５８−５４６６６号公報
【発明の概要】
【発明が解決しようとする課題】
【０００８】
本発明は上記のような事情に鑑みてなされたもので、冷却後、側壁板を倒して、開口部を広げることができて取り出しやすく、または、そのままお皿のようにして使用して、食べやすい容器を提供することを課題としている。
【課題を解決するための手段】
【０００９】
本発明は係る課題に鑑みなされたものであり、請求項１の発明は、底面板と該底面板の周端に連結し上方に立ち上がる複数の側壁板とからなり、冷却することによって、前記側壁板が外方に倒れることが可能となることを特徴とする容器である。
【００１０】
本発明の請求項２の発明は、隣接する前記側壁板が折込片により、連結していることを特徴とする請求項１に記載の容器である。
【００１１】
本発明の請求項３の発明は、前記折込片は、前記底面板から上方に向かう折罫により２つに折られ、一方の前記側壁板に冷却することによって剥離するように接着していることを特徴とする請求項２に記載の容器である。
【００１２】
本発明の請求項４の発明は、２つに折られた前記折込片が、更に前記底面板から上方に向かう直線で２つに分割され、前記折込片の分割した先端側が冷却により剥離しないように接着していることを特徴とする請求項３に記載の容器である。
【発明の効果】
【００１３】
本発明の容器は、冷却後、側壁板を倒して、開口部を広げることができて、取り出しやすく、または、そのままお皿のようにして使用することもでき、食べやすい。
【図面の簡単な説明】
【００１４】
【図１】本発明の容器の一例を模式的に斜視で示した説明図である。
【図２】本発明の容器の一例の側壁板を倒して、開口部を広げた状態を模式的に斜視で示した説明図である。
【図３】本発明の容器の一例のブランクを模式的に示した説明図である。
【発明を実施するための形態】
【００１５】
以下、本発明を実施するための形態につき説明する。
図１は、本発明の容器の一例を模式的に斜視で示した説明図、図２は、本発明の容器の一例の側壁板を倒して、開口部を広げた状態を模式的に斜視で示した説明図、図３は、本発明の容器の一例のブランクを模式的に示した説明図である。
【００１６】
本例の容器１００は、図１の斜視図に示すように、方形の底面板１の周端に連結し、上方に立ち上がる４つの側壁板２からなっている。隣接する側壁板２どうしは折込片３により連結し、折込片３が、底面板１から上方に向かう折罫ａにより２つに折られ、一方の側壁板２の外面に接着剤によって接着している。
【００１７】
また、２つに折られた折込片２は、更に底面板１から上方に向かう直線ｂで２つに分割され、折込片３の分割した先端側の部分ｃが、ヒートシールにより接着している。直線ｂは、ヒートシール部の部分ｃを区切るもので、押罫を設けておいても良いし、何も設けておかなくても良い。
【００１８】
容器１００は、板紙を基材として、少なくとも容器内面側に、熱溶融性樹脂が積層されている。この熱溶融性樹脂により、折込片３の分割した先端側の部分ｃがヒートシールにより接着している。板紙にはアクリル系樹脂などで加工された板紙を用いることが好ましい。
【００１９】
熱溶融性樹脂としては、ポリエチレンやポリプロピレンなどオレフィン樹脂を用いることができる。また、ナイロンやポリエステル系の樹脂を用いてもよい。また、折込片３を側壁板２に接着する接着剤としては、冷却により接着力が低下し、剥離できるようになる接着剤であれば、エマルジョン型の接着剤でも、ホットメルト接着剤でもかまわない。
【００２０】
このように板紙の片面にポリエチレンを積層した積層体を用いて構成し、折込片３を側壁板２に接着する接着剤を上記のものを用いることにより、２℃から−２０℃の間の温度で冷蔵庫や冷凍庫で冷却することによって、折込片３が側壁板２から剥がれるようになる。このため、手で側壁板２を外側に倒して、図２のように、上部の開口部を押し広げることができる。
【００２１】
このとき、折込片３の分割した先端側の部分ｃがヒートシールにより接着しているので、２つ折りした折込片３は、部分ｃが開くことがなく、側壁板２は、斜めに倒れた状態で止まり、容器１００がお皿のような形状となり、中の菓子などが外にこぼれることがない。
【００２２】
本例の容器１００は、図３に示すようなブランク１０１を折り、必要部分を接着して形成する。ブランク１０１は、中央に方形の底面板１が設けられ、底面板１の周端に４つの側壁板２が設けられている。また、隣接する側壁板２どうしは、折込片３により連結され
ている。
【００２３】
ブランク１０１から容器１００を組み立てるには、底面板１から側壁板２を折り曲げて立ち上げ、折込片３を折罫ａで２つに折って、内面どうしが対向するようにする。そして、２つに折った折込片３が、側壁板２の外側に飛び出るようにする。
【００２４】
そして、折込片３の部分ｃをヒートシールする。しかる後、２つ折りした折込片３を一方の側壁板２に、前述の接着剤を用いて接着する。これにより、図１のような、容器１００が組み立てられる。
【００２５】
以上のように、本発明の容器は、側壁板に接着した折込片が、冷却後、剥離できるようになり、側壁板を倒して、開口部を広げることができ、取り出しやすく、または、そのままお皿のようにして使用することができ、食べやすい。
【００２６】
また、折込片の分割した先端側の部分がヒートシールにより接着しているので、２つ折りした折込片は、ヒートシールした部分が開くことがなく、側壁板は、斜めに倒れた状態で止まり、容器がお皿のような形状で止まり、中の菓子などが容器の外にこぼれることがない。
【符号の説明】
【００２７】
１００・・・容器
１０１・・・ブランク
１・・・底面板
２・・・側壁板
３・・・折込片
ａ・・・折罫
ｂ・・・直線
ｃ・・・部分
【図１】
2016003039.tif 000003
【図２】
2016003039.tif 000004
【図３】
2016003039.tif 000005